(57)【要約】【課題】底泥の堆積で底質が悪化している海洋、湾海、湖沼などに、岸辺の存在を前提とすることなく比較的容易に構築可能であり、構築後は長期間に亘って魚介類、海藻類などの棲息に適した環境を確保できる人工漁場を提供する。【解決手段】人工漁場１は、海２の底面３に、底面３より高く突出し平面視形状が略六角形状をなす囲繞堤４を構築し、囲繞堤４で包囲された領域内の堆積底泥を除去した後、底質改良材を散布して耕耘を施すことによって改質底面８を形成したものである。囲繞堤４は、水流方向の影響などを考慮した形状であり、複数の土嚢５を積み上げ、その上面をネット６ａやロープ６ｂで覆い、ネット６ａの周縁およびロープ６ｂの端部を、底面３に打ち込んだ木杭７で固定することによって構築されている。【選択図】　　　　図１
2004105129.tif 000002
【特許請求の範囲】
【請求項１】
海洋、湾海、湖沼の底面に前記底面より高く突出し平面視形状が閉じた図形をなすように形成された囲繞堤と、前記囲繞堤で包囲された領域とを備えたことを特徴とする人工漁場。
【請求項２】
前記囲繞堤で包囲された領域内の堆積底泥を除去して改質底面とした請求項１記載の人工漁場。
【請求項３】
前記囲繞堤を、複数の土嚢の集積体または柵状部材で形成した請求項１または２記載の人工漁場。
【請求項４】
前記改質底面に耕耘を施した請求項２記載の人工漁場。
【請求項５】
前記改質底面に底質改良材を分散混合させた請求項４記載の人工漁場。
【請求項６】
前記改質底面の高さを、前記囲繞堤の高さと略同一とした請求項５記載の人工魚場。
【請求項７】
前記底質改良材として、非水溶性の粒状物質、非水溶性の多孔質粒状体、カルシウム・マグネシウムを主成分とする水溶性物質のいずれか１以上を用いた請求項５または６記載の人工漁場。
【請求項８】
前記土嚢の充填材として、前記底面から浚渫した底泥を用いた請求項３記載の人工漁場。
【請求項９】
前記囲繞堤の平面視形状が、水流方向に沿って長い多角形状、楕円形状、紡錘形状、長円形状である請求項１〜８のいずれかに記載の人工漁場。
【請求項１０】
前記囲繞堤で包囲された領域の少なくとも一部を覆う網状体を敷設した請求項１〜９のいずれかに記載の人工漁場。
【発明の詳細な説明】
【０００１】
【発明の属する技術分野】
本発明は、海洋、湖沼などの底面を利用して構築する人工漁場に関する。
【０００２】
【従来の技術】
従来、日本近海、内海、湾海あるいは湖沼には数多くの底棲生物や魚介類が棲息し、地域水産資源の宝庫であったが、近年、これらの場所での漁獲量や海藻類生産高が大幅に減少している状況が多数報告されている。
【０００３】
このような漁獲量激減の原因としては様々な要因が考えられ、地域特有の原因もあるので一概に決めつけることはできないが、漁業従事者などが指摘しているように、底面に堆積する泥土による底質悪化で底面に棲息する各種生物が減少・死滅し、これらを食物とする魚介類が激減したこと、並びにこれら底棲生物による水質浄化作用などの自然環境サイクルに異変が生じていることなどが漁獲量激減の大きな原因の一つであると考えられる。
【０００４】
そこで、近海や内海での漁業不振を回復するため、海岸に近接する海域に潜堤を構築し、この潜堤で囲われた海域の海底を人工的に改良することによって、比較的平坦で水深が浅く、海藻類やこれら海藻を食料とするアワビやサザエ、ウニ、ナマコなどの増繁殖に適した浅場海域と、沖合に向けて緩く下り傾斜して水深が次第に深くなる沿岸性有用魚介類の増殖に適した海域とを築造して栽培漁業が可能な人工漁場とする技術がある（例えば、特許文献１参照。）。
【０００５】
【特許文献１】
特開平０９−１１７２３４号公報（第２−６頁）
【０００６】
【発明が解決しようとする課題】
特許文献１に記載されている人工漁場は、海岸に近接する海域の一部を人工的に改良するものであり、海岸の存在を前提とするものであるため、海岸から離れた場所においては実施することができない。
【０００７】
また、前記人工漁場は底泥堆積などに起因する底質悪化を防ぐ機能は具備していないので、前述したような底泥堆積で底質の悪化が進行している海底などに構築した場合、時間の経過に伴い、前記人工漁場内に再び底泥が徐々に堆積していき、魚介類の棲息が不可能となるおそれがある。
【０００８】
本発明が解決しようとする課題は、底泥の堆積で底質が悪化している海洋、湾海、湖沼などに、岸辺の存在を前提とすることなく比較的容易に構築することができ、構築後は長期間に亘って魚介類、海藻類などの棲息に適した環境を確保することができる人工漁場を提供することにある。
【０００９】
【課題を解決するための手段】
本発明の人工漁場は、海洋、湾海、湖沼の底面に前記底面より高く突出し平面視形状が閉じた図形をなすように形成した囲繞堤と、前記囲繞堤で包囲された領域とを備えたことを特徴とする。
【００１０】
このような構成とすることにより、底面の一部領域をこれより高く突出した囲繞堤で囲い込んだ状態となるため、海洋、湾海、湖沼に自然発生する水流に基づく旋回水流が囲繞堤で包囲された領域内に生じ、囲繞堤内に存在する底泥が巻き上げられ、囲繞堤外へ排出されるようになる。したがって、囲繞堤で囲まれた領域内へ周囲の底面付近の浮泥が流入したり、底泥が堆積したりすることが大幅に減少し、囲繞堤で囲まれた領域内では底質が改善されていき、魚介類の餌となる各種底棲生物の棲息、繁殖が可能となり生態系が回復するので、構築後は長期間に亘って魚介類、海藻類などの棲息に適した環境を確保することができる。
【００１１】
また、海洋などの底面にこれより高く突出した平面視形状が閉じた図形をなす囲繞堤を形成すればよいので、底泥の堆積により底質が悪化している海洋、湾海、湖沼などであっても岸辺の存在を前提とすることなく構築することができる。
【００１２】
ここで、前記囲繞堤で包囲された領域内の堆積底泥を除去して改質底面とすれば、自然水流に基づく旋回水流による底泥排出作用に頼る場合よりも速やかに底質を改善できるため、構築後、魚介類、海藻類などの棲息に適した環境を早期に確保することができる。
【００１３】
この場合、施工条件などに応じて、海洋などの底面に平面視形状が閉じた図形をなす囲繞堤を形成した後、囲繞堤で包囲された領域の堆積底泥を浚渫除去して改質底面を形成する工法、あるいは海洋などの底面の所定領域の堆積底泥を浚渫除去して改質底面を形成した後、この改質底面を包囲するように平面視形状が閉じた図形をなす囲繞堤を形成する工法のいずれかを採用することができる。
【００１４】
前記囲繞堤を、複数の土嚢の集積体または柵状部材で形成することにより、比較的簡単な作業と短期間の工程で自然環境への悪影響のない人工漁場を構築することができるが、土嚢の集積体で囲繞堤を形成する場合は周辺海域の底泥を浚渫・脱水したものをその土嚢内部に充填することもできるため、浚渫した底泥を産業廃棄物として投棄することなく再利用できる。また、柵状部材で囲繞堤を形成する場合は土嚢に比べ軽量化を図ることができるため施工が容易となり、囲繞堤の修正作業や撤去作業も簡単である。
【００１５】
ここで、前記囲繞堤で包囲された改質底面に耕耘を施すことにより、底質層が撹拌、混合され水中の溶存酸素も供給されるので、底棲生物の活性化が図られ、魚介類や海藻類の棲息環境が向上する。なお、耕耘作業は改質底面が水没した状態あるいは改質底面を大気中に露出させた状態のいずれの状態で行っても良いが、水没状態で耕耘するときは水中作業が可能な耕耘機械、例えば、螺旋形状をした耕耘器具を有するオーガ式耕耘機械やジェット水を併用した翼式耕耘機械などを使用することが望ましい。
【００１６】
また、前記囲繞堤で包囲された改質底面に底質改良材を分散混合させることにより、自然のままでは回復不可能な底質を積極的に改善し、底棲生物などの棲息、繁殖に適した環境を短期間で整えることができるようになるので、人工漁場の早期構築を図ることができる。なお、底質改良材は前記耕耘作業の際に散布することが望ましく、これによって底質改良材を改質底面に均一に分散混合させることができる。
【００１７】
この場合、囲繞堤内に形成される改質底面の高さは底質改良材の散布量によって調節することができるので、構築場所の水深、水流の強弱、棲息する魚介類の種類、干満差の大小などに応じて改質底面の高さを設定することができる。
【００１８】
一方、囲繞堤内に形成される改質底面の高さを囲繞堤の高さと略同一とすることも可能であり、このような構成とすれば、改質底面は囲繞堤周辺の底面より高く盛り上がった状態となり、改質底面上を通過する自然水流の速度が周辺の底面上を通過する自然水流の速度よりも大となるため、改質底面上に浮泥が流入したり、底泥が堆積したりするのを防止することができる。
【００１９】
前記底質改良材としては、非水溶性の粒状物質、非水溶性の多孔質粒状体、カルシウム・マグネシウムを主成分とする水溶性物質などが望ましい。非水溶性の粒状物質を用いることにより、改質底面の粒度組成を底棲生物が生息可能な粒度程度に改善することができ、非水溶性の多孔質粒状体を用いれば、これらが水中微生物の住処となるので底棲生物の増加を図ることができるほか、前記粒状物質と同様に底質の粒度調整を図ることができる。また、カルシウム・マグネシウムを主成分とする水溶性物質を用いれば、改質底面のｐＨ調整が可能となり、微生物の活動をコントロールすることができ、底面構成層からの硫化水素の発生を抑制することができる。
【００２０】
なお、非水溶性の粒状物質としては、海底砂、河床砂礫、砕石骨材、ガラス粒子、ガラスビーズなどが好適であり、非水溶性の多孔質粒状体としては、多孔質発泡ガラス粒、多孔質天然鉱物（天然砂礫、シラス、降下軽石など）、多孔質人工鉱物（高炉スラグ、石炭灰など）が好適であり、カルシウム・マグネシウムを主成分とする水溶性物質としては、消石灰や海水抽出ミネラル剤などが好適であり、例えば、宇部マテリアルズ株式会社製のクリアウォーター（商品名）などを使用することができる。なお、多孔質発泡ガラス粒子としては、日本建設技術株式会社・建設環境エンジニアリング有限会社製のミラクルソル（商品名）などを使用することができる。
【００２１】
一方、前記土嚢の充填材として、前記底面から浚渫して脱水した底泥を用いれば、陸上からの充填材の搬入が不要となるので構築作業の工数削減を図ることができるほか、前述したように、悪化した底泥を構築工事の施工場所で利用することとなるので産業廃棄物の発生をなくすことができる。
【００２２】
また、前記囲繞堤の平面視形状を、水流方向に沿って長い多角形状、楕円形状、紡錘形状、長円形状とすることにより、海流、潮流あるいは湖底流など海洋、湾海、湖沼に自然発生する水流への影響を最小限に抑制することができるため、浮泥などが囲繞堤内へ流入するのを防止できるほか、囲繞堤内に浮泥が流入することがあっても水流によって速やかに外部へ放出される。
【００２３】
さらに、前記囲繞堤で包囲された領域内の少なくとも一部を覆う網状体を敷設することもできる。このような網状体を敷設すれば、網状体の網目より大きな生物の侵入を阻止できるので、囲繞堤で包囲された領域内に棲息する生物に危害を加えるおそれのある魚介類などの侵入を阻止することができる。この場合、網状体の網目の大きさは侵入を阻止したい魚介類の大きさによって定めることができる。
【００２４】
【発明の実施の形態】
図１は本発明の第１実施形態である人工漁場を模式的に示す斜視図、図２は図１に示す人工漁場の垂直断面図である。
【００２５】
本実施形態の人工漁場１は、海２の底面３に、底面３より高く突出し平面視形状が略六角形状をなす囲繞堤４を形成し、囲繞堤４で包囲された領域内の堆積底泥を除去した後、底質改良材を散布して耕耘を施すことによって改質底面８を形成したものである。囲繞堤４は、水流方向の影響などを考慮した形状であり、複数の土嚢５を積み上げ、その上面をネット６ａやロープ６ｂで覆い、ネット６ａの周縁およびロープ６ｂの端部を、底面３に打ち込んだ木杭７に固定することによって構築されている。
【００２６】
これにより、堆積底泥が除去され底質改良材が散布混合された改質底面８を、これより高く突出した囲繞堤４で囲い込んだ状態となるため、周囲の底面３付近の浮泥９や底泥１０の動きは囲繞堤４で阻止され、これらの浮泥９や底泥１０が囲繞堤４で囲まれた領域内へ流入するのを抑制できるので、底泥１０の堆積を大幅に低減することができる。
【００２７】
これにより、囲繞堤４で囲まれた領域内の底質は大幅に改善され、改質底面８において魚介類１１の餌となる各種底棲生物の棲息、繁殖が可能となって生態系が回復するので、人工漁場１の構築後は長期間に亘って魚介類１１や海藻類１２などの棲息に適した環境を長期間にわたって確保することができる。
【００２８】
また、人工漁場１は、海２の底面３に、平面視形状が閉じた図形の一つである六角形状の囲繞堤４を形成し、堆積底泥を浚渫除去し、改質底面８を形成すればよいので、底泥１０の堆積により底質が悪化している海２であっても岸辺の存在を前提とすることなく比較的容易に構築することができる。なお、人工漁場１は前記と逆の手順、即ち、底面３の所定領域内の堆積底泥を浚渫除去し、改質底面８を形成した後、改質底面８を包囲するように六角形状の囲繞堤４を形成することによっても構築することができる。
【００２９】
囲繞堤４は、複数の土嚢５の集積体をネット６ａで覆って形成しているので、比較的簡単な工程によって自然環境への悪影響のない人工漁場１を構築することができるほか、潮流や波浪の影響が大きな海２における土嚢５の散逸を防止することができる。
【００３０】
また、囲繞堤４で包囲された改質底面８は耕耘を施されたことにより、底質層が撹拌、混合され、海中の溶存酸素も供給されるので、底棲生物の活性化が図られ、魚介類１１や海藻類１２の棲息環境を向上させることができる。
【００３１】
また、囲繞堤４で包囲された改質底面８は、耕耘の際に、底質改良材として、非水溶性の粒状物質である砂１３、非水溶性の多孔質粒状体である多孔質発泡ガラス粒１４、カルシウム・マグネシウムを主成分とする水溶性物質である海水抽出のミネラル剤を分散混合させているため、自然のままでは改質不可能な底質を積極的に改善し、底棲生物などの棲息、繁殖に適した環境を短期間で整えることが可能であり、人工漁場１の早期構築を図ることができる。これらの底質改良材は前記耕耘作業の際に散布したので、改質底面８に均一に分散混合させることができた。
【００３２】
この場合、改質底面８に分散混合されている砂１３により魚介類の好む底質土の粒径を確保することができ、多孔質発泡ガラス粒子１４は水中微生物の住処となる多数の孔を有しているので底棲生物の増加を図ることができるほか、砂１３と同様に底質土の粒径調整にも寄与するはたらきがある。また、カルシウム・マグネシウムを主成分とする水溶性物質を分散混合させることで、改質底面８は長期間にわたって弱アルカリ性に保たれ、バクテリアが活性化されてヘドロの分解が進むとともに、硫化水素を発生させる硫酸塩還元菌の繁殖を抑制することができる。なお、本実施形態において、多孔質発泡ガラス粒子１４として、日本建設技術株式会社・建設環境エンジニアリング有限会社製のミラクルソル（商品名）を使用したところ、底棲生物が増加し、底質土の粒径調整機能などの優れた効果が得られた。
【００３３】
なお、非水溶性の粒状物質としては砂１３のほかガラス粒子、砕石細骨材、ガラスビーズなども使用可能であり、非水溶性の多孔質粒状体としては多孔質発泡ガラス粒子のほか多孔質天然鉱物であるシラスや降下石あるいは多孔質人工鉱物である高炉スラグや石炭灰なども使用可能である。カルシウム・マグネシウムを主成分とする水溶性物質としては、消石灰や海水抽出ミネラル剤などが使用可能であるが、本実施形態において、宇部マテリアル株式会社製のクリアウォーター（商品名）を使用したところ、改質底面８を長期間にわたって弱アルカリ性に維持することができ、硫酸塩還元菌の増殖が抑制され、底質からの硫化水素の発生も抑制することができた。
【００３４】
一方、本実施形態では、土嚢５の充填材として、底面３から浚渫して脱水した底泥を用いているため、陸上からの充填材の搬入が不要であり、構築作業の工数削減を図ることができるほか、悪化した底面３の底質土を産業廃棄物として処分することなく有効利用できるという優れた効果も得られる。
【００３５】
また、囲繞堤４の平面視形状を、この水域の潮流１５を考慮し、潮流１５の方向に沿った長い略六角形状としているため、海２に自然発生する潮流１５などへの影響を最小限に抑制し、浮泥９などの流入を大幅に抑制することができ、万一、浮泥９などが囲繞堤４内へ流入することがあっても潮流１５によって速やかに外部へ排出されるという効果が得られる。
【００３６】
次に図３は本発明の第２実施形態である人工漁場２０を模式的に示す垂直断面図である。なお、図３において、図１，図２と同記号を付している部分は前述した人工漁場１の場合と同じ機能、効果を有している部分であるため説明を省略する。
【００３７】
本実施形態の人工漁場２０は、海２の底面３に、底面３より高く突出し平面視形状が閉じた図形をなす囲繞堤２１を柵状部材２２によって形成し、囲繞堤２１で包囲された底面の堆積底泥を浚渫除去し、底質改質材を散布し耕耘を施して形成したものである。人工漁場２０では、土嚢５に比べ非常に軽い柵状部材２２で囲繞堤２１を形成しているため、底面３が不同沈下などを生じやすい軟弱地盤である場合、囲繞堤２１の高さを底面地形に応じて調節する必要がある場合などに好適である。その他の基本的機能および効果については、人工漁場１と同様である。
【００３８】
以上の実施の形態では、海２の底面３に人工漁場１，２０を構築した例について説明しているが、本発明の人工漁場はこれらに限定するものではないので、干潮時に海２の水面が底面３より低くなる干潟域や砂浜域などにおいても構築可能であり、海洋や湾海などの海域のほか湖沼などにおいても構築可能である。
【００３９】
次に図４〜図６を参照して本発明の第３実施形態である人工漁場３０について説明する。なお、図４〜図６において、前述した人工漁場１と同じ機能、効果を発揮する部分は図１，図２と同記号を付して説明を省略する。
【００４０】
図４に示すように、人工漁場３０は、前述した手順で形成された改質底面８と、底面３より高く突出し改質底面８を包囲するように形成された略六角形状の囲繞堤３１とによって構築されている。囲繞堤３１は、図５に示すように、土嚢５よりも大型の土嚢３２を略六角形状に並べ、土嚢３２の上部をロープ３４で押さえ、底面に打ち込まれた木杭３３にロープ３４の端部を固定することによって形成されている。
【００４１】
図６に示すように、土嚢３２は、柔軟な合成樹脂シートで形成されたフレキシブルコンテナと呼ばれる袋体内に底面３から浚渫して脱水した底泥を充填して形成されている。１個の土嚢３２の高さは囲繞堤３１の高さに等しく、土嚢３２を水平方向に並べていくことで囲繞堤３１を形成していくことができるため、図１，図２に示す囲繞堤４よりも短期間で囲繞堤３１を形成することができる。また、複数の土嚢３１を予め水平方向に連結したものを沈設する工法を採用すれば、さらに工期を短縮することができる。
【００４２】
人工漁場３０においては、図５，図６に示すように、囲繞堤３１で包囲された改質底面８の表面８ａの高さを、周囲の底面３よりも高くしているため、浮泥などが囲繞堤３１内へ流入したり、堆積するのを防止する機能に優れている。その他の基本的機能および効果については、人工漁場１と同様である。
【００４３】
なお、人工漁場３０の場合、図５に示すように、囲繞堤３１で包囲された領域を覆う網状体３５を敷設することも可能であり、これによって、改質底面８に棲息する生物に危害を加える魚介類の侵入を阻止することができる。この網状体３５の網目の大きさは、侵入を阻止すべき魚介類のサイズに応じて設定することができる。
【００４４】
次に図７〜図９を参照して、本発明の第４実施形態である人工漁場４０について説明する。なお、図７〜図９において、前述した人工漁場１と同じ機能、効果を発揮する部分は図１，図２と同記号を付して説明を省略する。
【００４５】
図７，図８に示すように、人工漁場４０は、底面３より高く突出するように形成された長方形状の囲繞堤４１と、囲繞堤４１で包囲された領域内に前述した手順で形成された改質底面８とで構築されている。囲繞堤４１は、図８，図９に示すように、底面３に打ち込まれた木杭４２，４３に木板４４を垂直に固定することによって形成されている。
【００４６】
人工漁場４０においても、改質底面８の表面８ａは周囲の底面３よりも高く設定されているため、前述した人工漁場３０と同様の機能、効果を発揮するが、土嚢に比べ非常に軽い木杭４２，４３および木板４４で囲繞堤４１を形成しているため、底面３が不同沈下などを生じやすい軟弱地盤である場合、囲繞堤４１の高さを底面地形に応じて調節する必要がある場合などに好適であり、撤去作業や移動作業も比較的容易である。その他の基本的機能および効果については、人工漁場１と同様である。
【００４７】
次に図１０，図１１を参照して、本発明の第５，第６実施形態である人工漁場５０，６０について説明する。図１０および図１１において、前述した人工漁場３０，４０と同じ機能、効果を発揮する部分は図４〜図９と同記号を付して説明を省略する。
【００４８】
図１０に示す人工漁場５０は、人工漁場３０と同様、土嚢３２を並べることによって底面３より高く突出して形成された囲繞堤５１と、囲繞堤５１内に前述した手順で形成された改質底面８とによって構築されている。
【００４９】
図１１に示す人工漁場６０は、人工漁場４０と同様、底面３に打ち込んだ木杭４２，４３に木板４４を取り付けることによって形成された囲繞堤６１と、囲繞堤６１内に前述した手順で形成された改質底面８とによって構築されている。
【００５０】
人工漁場５０，６０においては、改質底面８の表面８ｂを囲繞堤５１，６１の高さと略同一としているため、改質底面８は囲繞堤５１，６１の周辺の底面３より高く盛り上がった状態となっている。これによって、改質底面８上を通過する自然水流の速度は周辺の底面３上を通過する自然水流の速度よりも大となるため、改質底面８上に浮泥が流入したり、底泥が堆積したりするのを防止することができる。その他の基本的な機能、効果などはそれぞれ人工漁場３０，４０と同様である。
【００５１】
【発明の効果】
本発明により、以下に示す効果を奏する。
【００５２】
（１）海洋、湾海、湖沼の底面に前記底面より高く突出し平面視形状が閉じた図形をなすように形成した囲繞堤と、前記囲繞堤で包囲された領域とを備えたことにより、底泥の堆積で底質が悪化している海洋、湾海、湖沼などに、岸辺の存在を前提とすることなく比較的容易に人工漁場を構築することが可能となり、構築後は長期間に亘って魚介類、海藻類などの棲息に適した環境を確保することができる。
【００５３】
（２）前記囲繞堤で包囲された領域内の堆積底泥を除去して改質底面とすれば、自然水流に基づく旋回水流よる底泥排出作用に頼る場合よりも速やかに底質を改善できるため、魚介類、海藻類などの棲息に適した環境を構築後早期に確保することができる。
【００５４】
（３）前記囲繞堤を複数の土嚢の集積体または柵状部材で形成することにより、比較的簡単な作業と短期間の工程で自然環境への悪影響のない人工漁場を構築することができ、土嚢で囲繞堤を形成する場合は浚渫した底泥を産業廃棄物として投棄することなく再利用でき、柵状部材で囲繞堤を形成する場合は土嚢に比べ軽量化できるため施工が容易となり、囲繞堤の修正作業や撤去作業も簡単である。
【００５５】
（４）前記囲繞堤で包囲された改質底面に耕耘を施すことにより、底質層が撹拌、混合され水中の溶存酸素も供給されるので、底棲生物の活性化が図られ、魚介類や海藻類の棲息環境が向上する。
【００５６】
（５）前記囲繞堤で包囲された改質底面に底質改良材を分散混合させることにより、自然のままでは回復不可能な底質を積極的に改善し、底棲生物などの棲息、繁殖に適した環境を短期間で整えることができるようになるので、人工漁場の早期構築を図ることができる。
【００５７】
（６）囲繞堤内の改質底面の高さを囲繞堤の高さと略同一とすれば、改質底面は囲繞堤周辺の底面より高く盛り上がった状態となり、改質底面上を通過する自然水流の速度が周辺の底面上を通過する自然水流の速度よりも大となるため、改質底面上に浮泥が流入したり、底泥が堆積したりするのを防止することができる。
【００５８】
（７）前記底質改良材として、非水溶性の粒状物質を用いれば改質底面の粒度組成を底棲生物が生息可能な粒度程度に改善することができ、非水溶性の多孔質粒状体を用いれば水中微生物の住処となって底棲生物の増加を図ることができるほか、底質の粒度調整を図ることができ、カルシウム・マグネシウムを主成分とする水溶性物質を用いれば改質底面のｐＨ調整が可能となり、微生物の活動をコントロールすることができ、底面構成層からの硫化水素の発生を抑制することができる。
【００５９】
（８）前記土嚢の充填材として底面から浚渫して脱水した底泥を用いれば、陸上からの充填材の搬入が不要となるので構築作業の工数削減を図ることができるほか、悪化した底泥を構築工事の施工場所で利用することとなるので産業廃棄物の発生をなくすことができる。
【００６０】
（９）前記囲繞堤の平面視形状を、水流方向に沿って長い多角形状、楕円形状、紡錘形状、長円形状とすることにより、海流、潮流あるいは湖底流など海洋、湾海、湖沼に自然発生する水流への影響を最小限に抑制することができるため、浮泥などが囲繞堤内へ流入するのを防止できるほか、囲繞堤内に浮泥が流入することがあっても水流によって速やかに外部へ放出できる。
【００６１】
（１０）前記囲繞堤で包囲された領域内の少なくとも一部を覆う網状体を敷設すれば、囲繞堤で包囲された領域内に棲息する生物に危害を加えるおそれのある他の魚介類などの侵入を阻止することができる。
【図面の簡単な説明】
【図１】本発明の第１実施形態である人工漁場を模式的に示す斜視図である。
【図２】図１に示す人工漁場の垂直断面図である。
【図３】本発明の第２実施形態である人工漁場を模式的に示す垂直断面図である。
【図４】本発明の第３実施形態である人工漁場を示す斜視図である。
【図５】図４に示す人工漁場の垂直断面図である。
【図６】図５の一部拡大図である。
【図７】本発明の第４実施形態である人工漁場を示す平面図である。
【図８】図７に示す人工漁場の垂直部分断面図である。
【図９】図７に示す人工漁場を構成する囲繞堤の部分斜視図である。
【図１０】本発明の第５実施形態である人工魚場を示す垂直部分断面図である。
【図１１】本発明の第６実施形態である人工漁場を示す垂直部分断面図である。
【符号の説明】
１，２０，３０，４０，５０，６０　人工漁場
２　海
３　底面
４，２１，３１，４１，５１，６１　囲繞堤
５，３２　土嚢
６ａ　ネット
６ｂ，３４　ロープ
７，３３，４２，４３　木杭
８　改質底面
８ａ，８ｂ　表面
９　浮泥
１０　底泥
１１　魚介類
１２　海藻類
１３　砂
１４　多孔質発泡ガラス粒
１５　潮流
２２　柵状部材
３５　網状体
４４　木板
【図１】
2004105129.tif 000003
【図２】
2004105129.tif 000004
【図３】
2004105129.tif 000005
【図４】
2004105129.tif 000006
【図５】
2004105129.tif 000007
【図６】
2004105129.tif 000008
【図７】
2004105129.tif 000009
【図８】
2004105129.tif 000010
【図９】
2004105129.tif 000011
【図１０】
2004105129.tif 000012
【図１１】
2004105129.tif 000013